(57)【特許請求の範囲】
【請求項１】
容器本体のカバー体に着脱自在な形で保持される被駆除体排除用道具を備えた、駆除処理用のカバー体付き噴射剤容器において、
前記被駆除体排除用道具は、
前記カバー体の、噴射ボタン操作用の凹状開放空間域の両側の天面部分に形成した各溝状部に、収容される一対の被保持部と、
前記被保持部の一方の端部側同士を連結し、当該被保持部がそれぞれ前記溝状部に保持されたときには前記凹状開放空間域に入る態様の基部と、
前記被保持部の他方の端部側に続き、当該被保持部がそれぞれ前記溝状部に保持されたときには前記カバー体および前記容器本体の外周面に沿って下方に延びる態様の一対の把持用脚部と、
からなることを特徴とするカバー体付き噴射剤容器。
【請求項２】
前記基部は、前記カバー体への着状態のとき前記噴射ボタンの上方空間を覆う形状の天板状基部である、
ことを特徴とする請求項１記載のカバー体付き噴射剤容器。
【請求項３】
前記基部は、前記カバー体への着状態のとき前記噴射ボタンの上方空間を覆う部分が欠落した形状の弧状基部である、
ことを特徴とする請求項１記載のカバー体付き噴射剤容器。
【請求項４】
請求項１乃至３のいずれか一つに記載のカバー体付き噴射剤容器を用い、その中に放出用ガスおよび内容物を収容した、
ことを特徴とするエアゾール式製品。
【発明の詳細な説明】
【０００１】
【発明の属する技術分野】
本発明は、容器本体のカバー体に着脱自在な形で保持される被駆除体排除用道具を備えた、駆除処理用のカバー体付き噴射剤容器に関し、特に殺虫用スプレーなどで駆除した害虫，小動物などの個体（ゴキブリ，ハエなどの被駆除体）を捨てる際に用いる排除用道具（ピンセット，箸状物など）を備えたものに関する。
【０００２】
なお、「被駆除体」には各種の生物が該当するが、以下の記載では、説明の便宜上、必要に応じてその一例としての「ゴキブリ」を用いる。
【０００３】
【従来の技術】
従来、スプレーなどを用いて駆除したゴキブリを捨てる際には、
・ちり紙や新聞紙などを持ってきてこれでゴキブリをくるんだり、
・ちり取りを持ってきてこれにゴキブリを入れたり、
・ビニール袋を持ってきてその中に作業者が手を入れた状態でゴキブリをつかんだり、
・掃除機を用意してこれでゴキブリを吸引したりしている。
【０００４】
【発明が解決しようとする課題】
このような被駆除体の排除手法では、任意の場所に不意に出てくるゴキブリなどを駆除した人はその後でちり紙，ちり取り，ビニール袋や掃除機などをわざわざ取りに行かなければならず、その排除処理に際しての利便性に欠けるという問題点があった。
【０００５】
そこで、本発明では、駆除用噴射剤を入れた容器に被駆除体排除用道具（例えばピンセット）を着脱自在な形で保持して、駆除処理済みの被駆除体（例えばゴキブリ）の排除処理の簡単化・効率化を図ることを目的とする。
【０００６】
なお、本明細書では「容器」の用語を、噴射剤を入れた容器本体だけではなくこれに対する後述のカバー体や噴射ボタンなどを含む意で用い、「容器本体」はマウンティングカップも含む概念として用いる。
【０００７】
また、「保持」の用語は被駆除体排除用道具を何らかの態様で容器に留める程度の意で用いる。この留めた状態で排除用道具が容器に対して係止，係合，嵌合などの固定状態になっているかどうかは任意である。
【０００８】
【課題を解決するための手段】
本発明は、この課題などを次のようにして解決する。
（１）容器本体（例えば後述の容器本体１）のカバー体（例えば後述のカバー体３）に着脱自在な形で保持される被駆除体排除用道具（例えば後述のノンキャップ式のピンセット５，６）を備えた、駆除処理用のカバー体付き噴射剤容器において、
前記被駆除体排除用道具は、
前記カバー体の、噴射ボタン操作用の凹状開放空間域（例えば後述の凹状開口部３ａ，開放空間域３ｂ）の両側の天面部分に形成した各溝状部（例えば後述の溝状部３ｃ）に、収容される一対の被保持部（例えば後述の被保持部５ｂ，６ｂ）と、
前記被保持部の一方の端部側同士を連結し、当該被保持部がそれぞれ前記溝状部に保持されたときには前記凹状開放空間域に入り込む態様の基部（例えば後述の天板状基部５ａ，弧状基部６ａ）と、
前記被保持部の他方の端部側に続き、当該被保持部がそれぞれ前記溝状部に保持されたときには前記カバー体および前記容器本体の外周面に沿って下方に延びる態様の一対の把持用脚部（例えば後述の把持用脚部５ｅ，６ｅ）と、
からなるものとする。
（２）上記（１）において、前記基部を、前記カバー体への着状態のとき前記噴射ボタンの上方空間を覆う形状の天板状基部（例えば後述の天板状基部５ａ）とする。
（３）上記（１）において、前記基部を、前記カバー体への着状態のとき前記噴射ボタンの上方空間を覆う部分が欠落した形状の弧状基部（例えば後述の弧状基部６ａ）とする。
【０００９】
本発明によれば、駆除処理用の噴射剤を入れた容器に被駆除体（駆除処理済みのゴキブリなど）の排除用道具を保持して、噴射剤容器の使用者が駆除処理済みの被駆除体を捨てようとする場合にはこの排除用道具を利用可能とし、これによりゴキブリなどの駆除・排除処理の効率化を図り、噴射剤容器の利便性を高めている。
【００１０】
さらには、被駆除体排除用道具の構造を、それを容器に保持したときに被駆除体把持用の脚部が容器外周面の上下方向に沿うものとし、これにより当該保持状態における容器および被駆除体排除用道具の全体をコンパクト化して陳列・保管スペースの効率化を図るとともに、利用者などにとってこの保持状態における当該脚部が邪魔にならないようにしている。
【００１１】
また、被駆除体の排除用道具を容器に保持した状態では当該容器の操作部が覆われるようにして、被駆除体の駆除処理の際にはこの排除用道具を容器から取り外すものとし、これにより操作部の誤動作を防止するとともに、使用者側のいわば不快感（例えばすでに何度か使用済みの排除用道具をみながらの噴射処理に基づく不快感）を少なくしている。
【００１２】
また、被駆除体の排除用道具を容器に保持した状態でも当該容器の操作部が覆われることのないようにして、当該排除用道具をわざわざ取り外すことなしに内容物の噴射操作を可能とし、これにより噴射剤容器の操作性の向上化を図っている。
【００１３】
本発明は、以上の特徴を持つ駆除対象体排除用道具を対象とするとともに、これを保持するエアゾール式製品も対象にしている。
【００１４】
【発明の実施の形態】
本発明の実施の形態を図１乃至図３を用いて説明する。
【００１５】
ここで、
図１は、噴射ボタンを覆う態様で容器本体に取り付けられるキャップ形式のピンセットを示す説明図であり、
図２は、噴射ボタンの上方空間を覆う態様で容器本体のカバー体に保持されるノンキャップ形式のピンセットを示す説明図であり、
図３は、噴射ボタンを露出させる態様で容器本体のカバー体に保持されるノンキャップ形式のピンセットを示す説明図である。
【００１６】
図１乃至図３の（ａ）は各形式のピンセットを容器本体側に取り付けた状態を示し、（ｂ）はこのピンセットを容器本体側から取り外した状態を示している。また、図２（ｃ）は図２（ａ）の噴射ボタンとは反対側のいわば背面を示している。
【００１７】
なお、図１〜図３の例えばゴキブリ排除用の各ピンセットを保持するエアゾール式製品の噴射ボタンや噴射機構は任意のものでよい。
【００１８】
図１乃至図３において、
１は噴射用内容物を収納した容器本体，１ａは当該容器本体のボディ部分と肩カバー部分との巻締め部，１ｂは当該肩カバー部分の開口縁部に固定されたマウンティングカップ，
２および２′は容器本体１のステム（図示省略）に取り付けられた噴射ボタン，２ａおよび２ａ′は噴射用内容物の放出口，
３は巻締め部１ａの環状凹部に嵌合し、またマウンティングカップ１ｂの外縁側の環状凹部に強く嵌合した状態で容器本体１に取り付けられたカバー体，３ａは噴射ボタン２′の作動域などを確保するための凹状開口部，３ｂは当該凹状開口部の一部であってその後方側（＝噴射ボタン２′とは反対側）の開放空間域，３ｃは後述のピンセット５，６の一部を収容して保持する溝状部，３ｄは当該溝状部のプラットホーム部分，３ｅは当該溝状部の深領域部分，
４は着脱自在な形で容器本体１に取り付けられるキャップ形式のピンセット，４ａは噴射ボタン２に対応した天板状基部，４ｂは当該天板状基部から垂下した態様の内側周回部，４ｃは当該内側周回部の下端側のアンダーカット（突状部），４ｄは当該天板状基部の縁部分から垂下して一部が欠落した態様の外側周回部，４ｅは当該外側周回部の下端側のアンダーカット（突状部），４ｆは当該外側周回部の各端部から略垂下した態様の一対の把持用脚部，
５は噴射ボタン２′の上方空間を覆う態様でカバー体３に保持されるノンキャップ形式のピンセット，５ａは凹状開口部３ａにおける噴射ボタン２′の上方空間に入り込む形状の天板状基部，５ｂは当該天板状基部からこれと略同一面上に延びて溝状部３ｃに収容されうる一対の被保持部，５ｃは当該被保持部の（プラットホーム部分３ｄに対応した）水平状部分，５ｄは当該被保持部の（深領域部分３ｅに対応した）垂下状部分，５ｅは当該被保持部の各端部から略垂下した態様の一対の把持用脚部，
６は噴射ボタン２′を露出させる態様でカバー体３に保持されるノンキャップ形式のピンセット，６ａは天板状基部５ａにおける噴射ボタン２′の上方空間対応部分を欠落させた態様の弧状基部，６ｂは当該弧状基部からこれと略同一面上に延びて溝状部３ｃに収容されうる一対の被保持部，６ｃは当該被保持部の（プラットホーム部分３ｄに対応した）水平状部分，６ｄは当該被保持部の（深領域部分３ｅに対応した）垂下状部分，６ｅは当該被保持部の各端部から略垂下した態様の一対の把持用脚部，
をそれぞれ示している。
【００１９】
なお、参照番号は付与していないが、図２のピンセット５の天板状基部５ａには被保持部５ｂから続く垂下状部分が形成され、また図３のピンセット６の弧状基部６ａは被保持部６ｂから続く水平状部分と垂下状部分からなっている。
【００２０】
利用者は、ピンセット４，５，６でゴキブリなどをつかむ場合にはそれぞれの把持用脚部４ｆ，５ｅ，６ｅの先端側を内側に移動させる。
【００２１】
この先端側が内側に移動できるのは、
・ピンセット４の例えば外側周回部４ｄと把持用脚部４ｆとの境界部分
・ピンセット５の例えば天板状基部５ａと被保持部５ｂとの境界部分
・ピンセット６の例えば弧状基部６ａと被保持部６ｂとの境界部分
のそれぞれが、利用者の把持操作力に基づき、自らの弾性に抗して変形（変位）するからである。
【００２２】
図１（ａ）において、キャップ形式のピンセット４は、その内側周回部４ｂのアンダーカット４ｃが容器本体１のマウンティングカップ１ｂの外縁側の環状凹部に係止し、またその外側周回部４ｄのアンダーカット４ｅが容器本体１の巻締め部１ａの環状凹部に係止した状態になっている。
【００２３】
利用者は、このピンセット４を容器本体１から取り外す場合、当該ピンセットの外側周回部４ｄや把持用脚部４ｆ（の上側部分）などを持って上方にずらせばよい。
【００２４】
図２（ａ）において、ノンキャップ形式のピンセット５は、その天板状基部５ａの縁部分の一部がカバー体３の凹状開口部３ａの垂下状壁部分に接し、また、その被保持部５ｂがカバー体３の溝状部３ｃに接している。すなわち、ピンセット５はカバー体３と軽い摩擦係合の状態になっている。そのため、容器本体１を上下逆にしてもピンセット５はカバー体３から外れない。または外れにくい。
【００２５】
このとき、被保持部５ｂの水平状部分５ｃは溝状部３ｃのプラットホーム部分３ｄに当接し、また垂下状部分５ｄは当該溝状部の深領域部分３ｅに入り込んでいる。
【００２６】
利用者は、このピンセット５をカバー体３から取り外す場合、カバー体３の凹状開口部３ａの一部である開放空間域３ｂ〔図２(c) 参照）に指などを入れて当該ピンセットの天板状基部５ａを押し上げればよい。または、把持用脚部５ｅの上側部分を持ち上げてもよい。
【００２７】
図３（ａ）において、ノンキャップ形式のピンセット６は、図２（ａ）のピンセット５の場合と同じ態様でカバー体３に保持されている。すなわち、弧状基部６ａの垂下状部分がカバー体３の凹状開口部３ａの垂下状壁部分に接し、また、被保持部６ｂがカバー体３の溝状部３ｃに接している。そのため、容器本体１を上下逆にしてもピンセット６はカバー体３から外れない。または外れにくい。
【００２８】
このとき、被保持部６ｂの水平状部分６ｃは溝状部３ｃのプラットホーム部分３ｄに当接し、また垂下状部分６ｄは当該溝状部の深領域部分３ｅに入り込んでいる。
【００２９】
利用者は、このピンセット６をカバー体３から取り外す場合、カバー体３の凹状開口部３ａの一部である開放空間域３ｂの側から指などで当該ピンセットの弧状基部６ａの水平状部分を持ち上げればよい。または、把持用脚部６ｅの上側部分を持ち上げてもよい。
【００３０】
なお、カバー体３の溝状部３ｃとピンセット５，６の被保持部５ｂ，６ｂとの形状・位置関係や、カバー体３の凹状開口部３ａとピンセット６の弧状基部６ａとの形状・位置関係を、利用者が、当該ピンセットの一部をその弾性力に抗して変位させた状態のときに、ちょうど当該被保持部や当該凹状開口部に保持されるような態様にしてもよい。
【００３１】
この場合、ピンセット５，６の被保持部５ｂ，６ｂが上記弾性力によって溝状部３ｃや凹状開口部３ａの周面部分に比較的強く当接することになり、当該ピンセットはカバー体３に確実に保持される。ここで、容器本体１を上下逆にしてもピンセット５，６がカバー体３から外れないことは勿論である。
【００３２】
容器本体１の内容物を噴射するには、
・ピンセット４を容器本体１から取り外し（図１の場合）、
・ピンセット５をカバー体３から取り外し（図２の場合）、
・ピンセット６をカバー体３に取り付けたまま（図３の場合）、
噴射ボタン２，２′を押圧すればよい。
【００３３】
図２の場合に、ピンセット５をカバー体３に取り付けたまま、ピンセット５の天板状基部５ａの下方側に生じている開放空間域３ｄから噴射ボタン２′を押圧することもできる。
【００３４】
図３の場合に、ピンセット６をカバー体３から取り外した上で噴射ボタン２′を押圧してもよい。
【００３５】
図１〜図３のピンセット４，５，６およびカバー体３は各種の合成樹脂製または金属製のものである。合成樹脂としては、ポリオキシメチレン（ポリアセタール），ポリプロピレン，ポリエチレンなどを用いる。
【００３６】
エアゾール式製品の内容物は、金属塩類粉末，無機物粉末や樹脂粉末などを用いる。例えば、タルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００３７】
エアゾール式製品の放出用ガス（液化ガス，圧縮ガス）には、ＬＰＧ，ジメチルエーテル，フルオロカーボン，炭酸ガス，窒素ガス，圧縮空気，酸素，希ガス，これらの混合ガスなどを用いる。
【００３８】
【発明の効果】
本発明では、このように、駆除処理用の噴射剤を入れた容器に被駆除体（駆除処理済みのゴキブリなど）の排除用道具を保持し、噴射剤容器の使用者が駆除処理済みの被駆除体を捨てようとする場合にはこの排除用道具を利用可能としているので、ゴキブリなどの駆除・排除処理の効率化を図り、噴射剤容器の利便性を高めることができる。
【００３９】
また、被駆除体排除用道具の構造を、それを容器に保持したときに被駆除体把持用の脚部が容器外周面の上下方向に沿うものとしているので、当該保持状態における容器および被駆除体排除用道具の全体をコンパクト化して陳列・保管スペースの効率化を図るとともに、利用者などにとってこの保持状態における当該脚部が邪魔にならないようにすることができる。
【００４０】
また、被駆除体の排除用道具を容器に保持した状態では当該容器の操作部が覆われるようにし、被駆除体の駆除処理の際にはこの排除用道具を容器から取り外すものとしているので、操作部の誤動作を防止するとともに、使用者側のいわば不快感（例えばすでに何度か使用済みの排除用道具をみながらの噴射処理に基づく不快感）を少なくすることができる。
【００４１】
また、被駆除体の排除用道具を容器に保持した状態でも当該容器の操作部が覆われることのないようにし、当該排除用道具をわざわざ取り外さなくても内容物の噴射操作を可能としているので、噴射剤容器の操作性の向上化を図るこができる。
【図面の簡単な説明】
【図１】本発明の、噴射ボタンを覆う態様で容器本体に取り付けられるキャップ形式のピンセットを示す説明図である。（ａ）はピンセットを容器本体側に取り付けた状態を示し、（ｂ）はこのピンセットを容器本体側から取り外した状態を示している。
【図２】本発明の、噴射ボタンの上方空間を覆う態様で容器本体のカバー体に保持されるノンキャップ形式のピンセットを示す説明図である。（ａ）はピンセットを容器本体側に取り付けた状態を示し、（ｂ）はこのピンセットを容器本体側から取り外した状態を示し、（ｃ）は（ａ）の噴射ボタンとは反対側のいわば背面を示している。
【図３】本発明の、噴射ボタンを露出させる態様で容器本体のカバー体に保持されるノンキャップ形式のピンセットを示す説明図である。（ａ）はピンセットを容器本体側に取り付けた状態を示し、（ｂ）はこのピンセットを容器本体側から取り外した状態を示している。
【符号の説明】
１：噴射用内容物を収納した容器本体
１ａ：巻締め部
１ｂ：マウンティングカップ
２，２′：噴射ボタン
２ａ，２ａ′：噴射用内容物の放出口
３：カバー体
３ａ：凹状開口部
３ｂ：開放空間域
３ｃ：溝状部
３ｄ：溝状部のプラットホーム部分
３ｅ：溝状部の深領域部分
４：キャップ形式のピンセット
４ａ：天板状基部
４ｂ：内側周回部
４ｃ：内側周回部のアンダーカット（突状部）
４ｄ：外側周回部
４ｅ：外側周回部のアンダーカット（突状部）
４ｆ：一対の把持用脚部
５：ノンキャップ形式のピンセット
５ａ：天板状基部
５ｂ：一対の被保持部
５ｃ：被保持部の（プラットホーム部分３ｄに対応した）水平状部分
５ｄ：被保持部の（深領域部分３ｅに対応した）垂下状部分
５ｅ：一対の把持用脚部
６：ノンキャップ形式のピンセット
６ａ：弧状基部
６ｂ：一対の被保持部
６ｃ：被保持部の（プラットホーム部分３ｄに対応した）水平状部分
６ｄ：被保持部の（深領域部分３ｅに対応した）垂下状部分
６ｅ：一対の把持用脚部
【図１】
0003746754.tif 000002
【図２】
0003746754.tif 000003
【図３】
0003746754.tif 000004